(57)【要約】【課題】邪魔なコードや受信機を不要とし、イヤホンの装着のみでテレビ出演者等の被撮影者に音声情報を光空間伝達させることのできる、新しい音声情報伝達システムおよび音声情報伝達光源を提供する。【解決手段】撮影カメラ（１）が狙う被撮影者（３）へ音声情報を光空間伝達する音声情報伝達システムであって、撮影カメラ（１）にカメラレンズ（１１）の光軸と平行にして取り付けられる光源（２）と、被撮影者（３）が装着するイヤホン（４）とを備えており、光源（２）は、送信すべき音声情報に応じて強度変調された赤外光を発光し、イヤホン（４）は、前記赤外光を受光して光電変換する太陽電池（４１）を有し、当該太陽電池（４１）による電気信号を音声出力する。【選択図】  図１
2005020490.tif 000002
【特許請求の範囲】
【請求項１】
撮影カメラが狙う被撮影者へ音声情報を光空間伝達する音声情報伝達システムであって、
撮影カメラにカメラレンズの光軸と平行にして取り付けられる光源と、被撮影者が装着するイヤホンとを備えており、
光源は、送信すべき音声情報に応じて強度変調された赤外光を発光し、
イヤホンは、前記赤外光を受光して光電変換する太陽電池を有し、当該太陽電池による電気信号を音声出力する、
ことを特徴とする音声情報伝達システム。
【請求項２】
前記光源は、前記撮影カメラの画角と同じ範囲に前記赤外光を発光することを特徴とする請求項１記載の音声情報伝達システム。
【請求項３】
撮影カメラが狙う被撮影者へ音声情報を光空間伝達する音声情報伝達光源であって、
撮影カメラにカメラレンズの光軸と平行にして取り付けられ、送信すべき音声情報に応じて強度変調された赤外光を被撮影者が装着しているイヤホンに向けて発光する、
ことを特徴とする音声情報伝達光源。
【請求項４】
前記撮影カメラの画角と同じ範囲に前記赤外光を発光することを特徴とする請求項３記載の音声情報伝達光源。
【発明の詳細な説明】
【０００１】
【発明の属する技術分野】
この出願の発明は、音声情報伝達システムおよび音声情報伝達光源に関するものである。さらに詳しくは、この出願の発明は、アナウンサー等のテレビ出演者への音声情報伝達に特に有用な、イヤホンの装着のみで被撮影者に音声情報を光空間伝達させることのできる、新しい音声情報伝達システムおよびそれに用いられる音声情報伝達光源に関するものである。
【０００２】
【従来の技術】
従来、テレビ放送番組の撮影などにおいて、アナウンサー等のテレビ出演者は受信機とイヤホンを自ら装着し、ディレクターや遠方の出演者の声などの音声情報を受け取っている。
【０００３】
【発明が解決しようとする課題】
しかしながら、テレビ出演者が耳に装着しているイヤホンは腰辺りに装着している受信機とコードを介して接続されており、このコードは通常外に露出したままとなっているので、テレビ出演者とともに映像に映し出され、これが目障りになることが多々ある。また、テレビ出演者にとってもコードが引っ掛かるなどして邪魔になり、時には受信機が落ちてしまうこともある。
【０００４】
そこで、この出願の発明は、以上のとおりの事情に鑑み、邪魔なコードや受信機を不要とし、イヤホンの装着のみでテレビ出演者等の被撮影者に音声情報を伝達させることのできる、新しい音声情報伝達システムおよび音声情報伝達光源を提供することを課題としている。
【０００５】
【課題を解決するための手段】
この出願の発明は、上記の課題を解決するものとして、第１には、撮影カメラが狙う被撮影者へ音声情報を光空間伝達する音声情報伝達システムであって、撮影カメラにカメラレンズの光軸と平行にして取り付けられる光源と、被撮影者が装着するイヤホンとを備えており、光源は、送信すべき音声情報に応じて強度変調された赤外光を発光し、イヤホンは、前記赤外光を受光して光電変換する太陽電池を有し、当該太陽電池による電気信号を音声出力する、ことを特徴とする音声情報伝達システムを提供し、第２には、前記光源は、前記撮影カメラの画角と同じ範囲に前記赤外光を発光することを特徴とする音声情報伝達システムを提供する。
【０００６】
また、この出願の発明は、第３には、撮影カメラが狙う被撮影者へ音声情報を光空間伝達する音声情報伝達光源であって、撮影カメラにカメラレンズの光軸と平行にして取り付けられ、送信すべき音声情報に応じて強度変調された赤外光を被撮影者が装着しているイヤホンに向けて発光する、ことを特徴とする音声情報伝達光源を提供し、第４には、前記撮影カメラの画角と同じ範囲に前記赤外光を発光することを特徴とする音声情報伝達光源を提供する。
【０００７】
【発明の実施の形態】
上記の通りの特徴を有するこの出願の発明は、たとえば図１に例示したように、撮影カメラ（１）にそのカメラレンズ（１１）の光軸Ｏと平行にして取り付けられる光源（２）と、被撮影者（３）が装着するイヤホン（４）とを用意し、光源（２）を、送信すべき音声情報に応じて強度変調された赤外光を発光するもの、イヤホン（４）を、光源（２）からの赤外光を受光して光電変換する太陽電池（４１）を有し、この太陽電池（４１）による電気信号を音声出力するものとすることで、従来被撮影者（３）が身に付けていたコードや受信機を不要とし、イヤホン（４）の装着のみで被撮影者（３）への音声情報の伝達を実現することができるのである。
【０００８】
この場合さらに説明すると、図１の実施形態では、まず、光源（２）は、撮影場で被撮影者（３）を狙い映す撮影カメラ（１）に対してそのカメラレンズ（１１）の光軸Ｏと平行となるように取り付けられている。取付位置は、カメラ本体（図１参照）でもカメラ基台でもよく、光軸平行が確保できれば特に限定されない。これにより、光源（２）から照射される光は、カメラレンズ（１１）の光軸Ｏと平行の光路で、撮影カメラ（１）が狙い映す被撮影者（３）、つまり撮影カメラ（１）のカメラレンズ（１１）が向いている被撮影者（３）の方向に進むため、撮影カメラ（１）が被撮影者（３）を追うだけで光が被撮影者（３）に確実に届くことになる。
【０００９】
この光源（２）からの照射光は、被撮影者（３）に対して送信すべき音声情報に応じて強度変調された赤外光であり、より具体的には、制御回路（図示なし）等によって音や声等の音声信号の波形にバイアスをかけて増幅したものに従って光源（２）の駆動電圧を変化させて強度変調した赤外光である。したがって、光源（２）としては、音声情報の周波数に応答して光の強弱を制御でき、十分な光量の赤外光を発光可能なたとえば赤外ＬＥＤを単数または複数個用いることができる。制御回路は、光源（２）と一体のものとさせても、別体として撮影カメラ（１）に取り付けたり全く別の場所に設置させたりしてもよい。
【００１０】
一方、被撮影者（３）が装着するイヤホン（４）は、上記の通りの光源（２）からの赤外光を受光して光電変換する太陽電池（４１）を一体に備え、この太陽電池（４１）が音声赤外光に従って発電し、太陽電池（４１）と直結したイヤホン（４）から音声が流れるものとなっている。発電電力は音の波形を元に変調されているため、そのままイヤホン（４）へ導くことで、無電源で被撮影者（３）に音を伝達できるのである。イヤホン（４）は、太陽電池（４１）を付加しただけであるため、非常に小型且つ軽量なものとでき、被撮影者（３）が装着しても違和感なく使用できる。もちろん、音質向上等のための周波数フィルタなどの受動回路（図示なし）を太陽電池（４１）とイヤホン（４）との間に挿入してもよく、この場合にも、受動回路は太陽電池（４１）による発電直流成分によって駆動されることとなるため、何等別途の電源を必要とせず、無電源駆動が可能となり、極めて小型且つ軽量なイヤホン一体型受信機とも呼べるイヤホン端末とすることができる。
【００１１】
なお、イヤホン（４）と太陽電池（４１）との一体構成については、イヤホン（４）を被撮影者（３）が耳に装着した際に太陽電池（４１）の受光面が被撮影者（３）の前方を向くような構成となっていることが好ましい。これにより、被撮影者（３）を狙う撮影カメラ（１）に取り付けられた光源（２）からの音声赤外光を確実に受信できるようになる。
【００１２】
ここで、太陽電池（４１）自体については、たとえば球状の全指向型のものを用いてもよく、これによれば、被撮影者（３）が向きを変えても、つまり撮影カメラ（１）の方を向いていなくても、音声赤外光をより確実に受信できるようになる。
【００１３】
また、イヤホン（４）は、被撮影者（３）の左右いずれか一方の耳に装着させるだけではなく、左右両方の耳に装着させるようにしてもよい。
【００１４】
また、イヤホン（４）は、光源（２）からの赤外光を受けるだけでなく、他の光、たとえばスタジオであればその照明光など、を太陽電池（４１）で受けて受動回路の電源とすることも可能である。
【００１５】
またさらに、撮影カメラ（１）の撮影範囲内に複数の被撮影者（３）が存在し、各人に異なる音声情報を伝えたい場合には、光源（２）の広がり角を絞ることで、伝えたい被撮影者（３）のみへ赤外光を照射でき、それをカメラマン等の撮影カメラ（１）操作者が制御することも可能である。
【００１６】
その逆に、広角光源（２）を用いることで、撮影カメラ（１）に映っていない人にも音声伝達できるようにすることも可能である。
【００１７】
もちろん、この出願の発明は以上の実施形態に限定されるものではなく、細部については様々な態様が可能である。
【００１８】
【発明の効果】
以上詳しく説明したとおり、この出願の発明によって、テレビ出演者等の被撮影者にイヤホンを装着させるだけで、様々な音声情報を光空間伝達させることのできる、新しい音声情報伝達システムおよびそれに用いられる音声情報伝達光源が提供される。
【図面の簡単な説明】
【図１】この出願の発明の一実施形態を示した図である。
【符号の説明】
１  撮影カメラ
１１  カメラレンズ
２  光源
３  被撮影者
４  イヤホン
４１  太陽電池
【図１】
2005020490.tif 000003